(57)【要約】      （修正有）【課題】周波数増加方式とセクター増加方式とを統合することで効率向上させた多重セクターインビルディング中継システムを提供する。【解決手段】搬送波周波数の多重セクター信号を受信し、中間周波数信号各セクタ毎に変えて多重化し同一線路に出力するマスター送信部２１０と、それらの多重セクター信号を高周波信号に変換し、アンテナ出力する多数のスレーブ送信部３１０と、受信搬送波周波数セクター信号も同様に中間周波数帯に変換して同一線路に出力する多数のスレーブ受信部３２０と、その多重セクター信号を搬送波周波数信号に変換し出力するマスター受信部２２０と、マスター送信部とマスター受信部の送受信信号を分離するマスター送受信分離部２３０と、マスター送信部から多重セクター信号を受信しスレーブ送信部に分配し、スレーブ受信部からセクター信号を受信しマスター受信部に伝送する分配部１２０と、を備えてなる。【選択図】図５
2004236341.tif 000002
【特許請求の範囲】
【請求項１】
基地局から搬送波周波数の多重セクター信号を受信し、受信されたそれぞれのセクター信号に互いに異なる送信中間周波数信号をミキシングし、ミキシング後の多重セクター信号を同一線路に出力するマスター送信部と、
前記マスター送信部から出力される多重セクター信号から割り当てられたセクター信号を抽出し、抽出されたセクター信号を高周波信号に変換した後、変換された高周波信号をアンテナを介して伝送する多数個のスレーブ送信部と、
アンテナから受信された搬送波周波数のセクター信号に、割り当てられたそれぞれの互いに異なる受信中間周波数信号をミキシングしそれぞれの互いに異なる受信中間周波数帯のセクター信号に変換した後、変換されたセクター信号を同一線路に出力する多数個のスレーブ受信部と、
前記多数個のスレーブ受信部から同一線路を介して伝送されるそれぞれの互いに異なる受信中間周波数帯に変換された多重セクター信号と互いに異なる中間周波数帯信号をミキシングしそれぞれのセクター信号を分離し、分離されたセクター信号を受信搬送波周波数信号に変換し前記基地局に出力するマスター受信部と、
前記マスター送信部と前記マスター受信部の送受信信号を分離するためのマスター送受信分離部と、
前記マスター送信部から多重セクター信号を受信し前記多数個のスレーブ送信部に分配し、前記多数個のスレーブ受信部から受信中間周波数帯に変換されたセクター信号を受信し前記マスター受信部に伝送する分配部と、を備えてなる多重セクター送受信装置。
【請求項２】
マスター送信部は、
基地局から、割り当てられた搬送波周波数のセクター信号を受信し、受信されたセクター信号に割り当てられたそれぞれの互いに異なる送信中間周波数信号をミキシングし出力する多数のミキシング部と、
前記ミキシング部から出力される互いに異なる送信中間周波数帯信号に変換されたセクター信号から不必要な信号を除去した後、不必要な信号が除去されたセクター信号を一定レベル増幅して同一線路に出力する多数の増幅部と、を備えてなる請求項１記載の多重セクター送受信装置。
【請求項３】
ミキシング部は、
基地局から、割り当てられた搬送波周波数の高周波セクター信号を受信し、受信された高周波セクター信号を減衰させ、減衰された高周波セクター信号を出力する減衰器と、
前記減衰器で減衰された搬送波周波数のセクター信号に、前記搬送波周波数から、割り当てられた互いに異なる送信中間周波数帯信号を引いた信号をミキシングして互いに異なる送信中間周波数帯信号に変換されたセクター信号をそれぞれの増幅部に出力するミキサーと、を備えてなる請求項２記載の多重セクター送受信装置。
【請求項４】
増幅部は、
ミキシング部から出力される互いに異なる送信中間周波数帯信号に変換されたセクター信号を帯域通過フィルターリングする帯域通過フィルターと、
前記帯域通過フィルターを介してフィルターリングされたセクター信号を一定レベル増幅し線路に出力する増幅器と、を備えてなる請求項２記載の多重セクター送受信装置。
【請求項５】
スレーブ送信部は、
マスター送信部から出力される互いに異なる送信中間周波数信号に変換された多重セクター信号を受信し、受信された多重セクター信号から、抽出すべきセクター信号にミキシングされた送信中間周波数信号から所定値を引いた信号をミキシングしセクター信号を抽出するセクター信号抽出部と、
前記セクター信号抽出部で抽出されたセクター信号を高周波信号に変換してアンテナを介して伝送する高周波信号生成部と、を備えてなる請求項１記載の多重セクター送受信装置。
【請求項６】
セクター信号抽出部は、
マスター送信部から受信された互いに異なる送信中間周波数信号に変換された多重セクター信号を帯域フィルターリングする第1帯域通過フィルターと、
前記第1帯域通過フィルターから入力されるフィルターリングされた多重セクター信号から、抽出すべきセクター信号にミキシングされた送信中間周波数信号から所定値を引いた信号をミキシングし出力するミキサーと、
前記ミキサーから出力される信号を帯域通過フィルターリングして所望のセクター信号を抽出する第2帯域通過フィルターと、を備えてなる請求項５記載の多重セクター送受信装置。
【請求項７】
高周波生成部は、
セクター信号抽出部で抽出されたセクター信号に基地局伝送搬送波周波数から所定値を引いた信号をミキシングし高周波信号を生成する高周波生成器と、
前記高周波生成器で生成された全高周波信号を電力増幅しアンテナを介して伝送する電力増幅器と、を備えてなる請求項５記載の多重セクター送受信装置。
【請求項８】
スレーブ受信部は、
アンテナから受信した受信搬送波周波数のセクター信号に割り当てられた受信中間周波数信号をミキシングし中間周波数信号を生成する中間周波数生成部と、
前記中間周波数生成部で生成された中間周波数信号を一定レベル増幅し、帯域フィルターリングする増幅部と、を備えてなる請求項１載の多重セクター送受信装置。
【請求項９】
中間周波数生成部は、
アンテナを介して受信された受信搬送波周波数のセクター信号を一定レベル増幅する増幅器と、
前記増幅器で増幅された受信搬送波周波数のセクター信号を帯域フィルターリングする帯域通過フィルターと、
前記帯域通過フィルターでフィルターリングされた受信搬送波周波数のセクター信号に、受信搬送波周波数から割り当てられた中間周波数信号を引いた信号をミキシングし中間周波数帯セクター信号を生成するミキサーと、を備えてなる請求項８記載の多重セクター送受信装置。
【請求項１０】
増幅部は、
中間周波数生成部で生成された中間周波数信号を一定レベル増幅して出力する増幅器と、
前記増幅器で増幅された中間周波数信号を帯域フィルターリングしマスター受信部に伝送する帯域通過フィルターと、を備えてなる請求項８記載の多重セクター送受信装置。
【請求項１１】
マスター受信部は、
多数個のスレーブ受信部から、それぞれの互いに異なる受信中間周波数帯に変換された多重セクター信号を受信し、抽出すべきセクター信号にミキシングされた受信中間周波数信号から所定値を引いた信号をミキシングして抽出すべきセクター信号を分離する多数のセクター信号分離部と、
前記セクター信号分離部から出力される分離されたセクター信号に、受信搬送波周波数から所定値を引いた信号をミキシングし受信中間周波数帯信号を受信搬送波周波数帯信号に変換し基地局に出力する多数の高周波生成部と、を備えてなる請求項１記載の多重セクター送受信装置。
【請求項１２】
セクター信号分離部は、
多数個のスレーブ受信部から受信されるそれぞれの互いに異なる受信中間周波数帯に変換された多重セクター信号に、抽出すべきセクター信号にミキシングされた受信中間周波数信号から所定値を引いた信号をミキシングし出力するミキサーと、
前記ミキサーでミキシングされた信号を入力して所定値を中心に帯域通過フィルターリングを行い抽出すべきセクター信号を分離する帯域通過フィルターと、を備えてなる請求項１１記載の多重セクター送受信装置。
【請求項１３】
高周波生成部は、
セクター信号分離部で分離されたセクター信号に、受信搬送波周波数から所定値を引いた周波数信号をミキシングし受信中間周波数帯信号を受信搬送波周波数帯信号に変換し出力するミキサーと、
前記ミキサーから出力された受信搬送波周波数帯信号を一定レベル増幅する増幅器と、を備えてなる請求項１１記載の多重セクター送受信装置。
【請求項１４】
インビルディングシステムの多重セクター送信装置において、
基地局から搬送波周波数の多重セクター信号を受信し、受信されたそれぞれのセクター信号に互いに異なる送信中間周波数信号をミキシングし、ミキシングされたそれぞれのセクター信号を同一線路に出力するマスター送信部と、
アンテナから受信された搬送波周波数のセクター信号に、割り当てられたそれぞれの互いに異なる受信中間周波数信号をミキシングし、ミキシングされたセクター信号を同一線路にそれぞれ出力する多数個のスレーブ受信部と、を備えることを特徴とするインビルディングシステムの多重セクター送信装置。
【請求項１５】
マスター送信部は、
基地局から伝送搬送波周波数のセクター信号を受信し、受信したセクター信号に割り当てられたそれぞれの互いに異なる送信中間周波数信号をミキシングし出力する多数のミキシング部と、
前記多数のミキシング部から互いに異なる送信中間周波数帯に変換されたセクター信号を受信し不必要な信号を除去した後、不必要な信号が除去されたセクター信号を増幅し同一線路に出力する多数の増幅部と、を備えてなる請求項１４記載のインビルディングシステムの多重セクター送信装置。
【請求項１６】
ミキシング部は、
基地局から割り当てられた伝送搬送波周波数のセクター信号を受信し、受信した高周波セクター信号を減衰させ、減衰された高周波セクター信号を出力する減衰器と、
前記減衰器で減衰された伝送搬送波周波数のセクター信号に、伝送搬送波周波数から割り当てられた互いに異なる送信中間周波数帯信号を引いた信号をミキシングし互いに異なる送信中間周波数帯信号に変換されたセクター信号をそれぞれの増幅部に出力するミキサーと、を備えてなる請求項１５記載のインビルディングシステムの多重セクター送信装置。
【請求項１７】
インビルディングシステムの多重セクター受信装置において、
互いに異なる送信中間周波数信号に変換された多重セクター信号を受信し、受信された信号からそれぞれのセクター信号のみ抽出し、抽出されたセクター信号を高周波信号に変換しアンテナに出力する多数個のスレーブ送信部と、
線路を介して受信された互いに異なる受信中間周波数帯信号に変換された多重セクター信号に互いに異なる中間周波数帯信号をミキシングし、ミキシングされた信号からセクター信号を分離した後、分離されたセクター信号を受信搬送波周波数信号に変換し基地局に出力するマスター受信部と、
互いに異なる送信中間周波数信号に変換された多重セクター信号を前記多数個のスレーブ送信部に分配し、受信中間周波数帯信号に変換されたセクター信号を前記マスター受信部に伝送する分配部と、を備えることを特徴とするインビルディングシステムの多重セクター受信装置。
【請求項１８】
多数のスレーブ送信部は、
互いに異なる送信中間周波数信号に変換された多重セクター信号を受信し、受信された信号に、抽出すべきセクター信号にミキシングされた送信中間周波数信号から所定値を引いた信号をミキシングしセクター信号を抽出するセクター信号抽出部と、
前記セクター信号抽出部で抽出されたセクター信号を高周波信号に変換しアンテナに出力する高周波信号生成部と、を備えてなる請求項１７記載のインビルディングシステムの多重セクター受信装置。
【請求項１９】
セクター信号抽出部は、
互いに異なる送信中間周波数信号に変換された多重セクター信号を受信し不必要な信号を除去する第1帯域通過フィルターと、
前記第1帯域通過フィルターでフィルターリングされた多重セクター信号に、抽出すべきセクター信号にミキシングされた送信中間周波数信号から所定値を引いた信号をミキシングして出力するミキサーと、
前記ミキサーの出力信号に対し所定値を中心に帯域通過フィルターリングを行って抽出すべきセクター信号を抽出する第2帯域通過フィルターと、を備えてなる請求項１８記載のインビルディングシステムの多重セクター受信装置。
【請求項２０】
多重セクターインビルディング中継システムを用いて建物内で基地局から複数のセクターに信号を提供する方法であって、
前記基地局から受信された複数のセクターの搬送波信号を減衰・増幅する段階と、
前記減衰・増幅されたセクター信号のそれぞれを対応する相異した伝送中間周波数信号と混合し、その混合されたセクター信号のそれぞれを第1デュプレックサーを介して同じ伝送ラインに多重出力する段階と、
前記同じ伝送ラインの多重出力されたセクター信号を前記複数のセクターのそれぞれに配置された複数のスレーブ送信部に分配する段階と、
前記複数のセクターのそれぞれのセクター信号を、前記スレーブ送信部のそれぞれに割り当てられた相異した中間周波数信号等を用いて抽出する段階と、
前記抽出されたセクター信号を高周波信号等に切り替え、その切り替えられた高周波信号等を第2デュプレックサーを介して前記複数のセクターのそれぞれに配置されたそれぞれのアンテナを介して伝送する段階と、を含む建物内で基地局から複数のセクターに信号を提供する方法。
【請求項２１】
複数のスレーブ受信部のそれぞれで、アンテナと第2デュプレックサーを介して提供される受信された搬送波セクター信号を割り当てられた中間周波数信号と混合することによって中間周波数信号を生成する段階と、
前記スレーブ受信部のそれぞれの中間周波数信号を同じ伝送ラインを介して第1デュプレックサーに出力する段階と、
前記第1デュプレックサーにより受信された前記スレーブ受信部のそれぞれの中間周波数信号を、基地局に伝送するための相異した搬送波信号に切り替える段階と、をさらに含む請求項２０記載の建物内で基地局から複数のセクターに信号を提供する方法。
【発明の詳細な説明】
【技術分野】
【０００１】
本発明は、インビルディング(In-building)中継システムに関し、特に、周波数を増やす方式とセクターを増やす方式とを結合することにより、効率を最大化できるようにする多重セクターインビルディング中継システムに関する。
【背景技術】
【０００２】
最近、広く普及して使われている個人携帯通信(PersonalCommunicationSystem:PCS)は、個人が携帯し使用する移動通信サービスで、携帯が簡便な超小型、超軽量移動端末機を使用し時間と場所とは関係なく、誰とでも通話できる非常に理想的な概念の通信サービスであって、既存の移動電話のサービス短所を克服し、歩行者中心の次世代移動通信サービスを総称する。
【０００３】
また、個人携帯通信の基本概念を具現するためには、移動端末機を無線で接続することによって、ユーザの自由な移動を保障しなければならない。さらに、そのサービスを提供する網は、加入者の接続を容易にし、新しい加入者が必要とするサービスを提供できるように網を知能化させることにより、移動端末機の送・受信者がどこにいても送信、または受信が可能なようにしなければならない。
【０００４】
また、個人携帯通信は、移動電話に比べて低廉な歩行者中心の移動通信サービスであって、時速20km以下では、ハンドオフが可能であり、低廉な料金負担、有線電話と同等水準の通話品質などを期待することができ、且つ携帯が簡便で、低廉な超小型、超軽量の移動端末機という長所がある。
【０００５】
また、個人携帯通信の基地局は、小型、軽量でマイクロセルやピコセルであって、どの場所にも簡単に設置できるので、どこでも自由に着発信が可能であり、多くの加入者を受け入れることができるが、この際、基地局は、電柱および街灯、公衆電話ボックスなどの屋外施設物にも設置が容易なように小型軽量化させることによって、設置に係る投資額を最小化できる。
【０００６】
一方、現在、個人携帯通信の各事業者らは都心の建物内のサービスを提供するために、インビルディング中継システム(In-BuildingServiceSystem)を導入している。
【０００７】
図１は、一つの層に設けられたインビルディング中継システムの構成図である。以下では、コード分割多重接続方式(Code Dvision Multiple Access、CDMA)の移動通信システムを例に上げて従来のインビルディング中継システムについて説明する。
【０００８】
図１のように、従来のインビルディング中継システムは、デュプレックサー(11、16)と、低雑音増幅器(12、17)と、フリーアンプ(13、18)と、中間周波数モジュール(14、19)と、表面弾性波フィルター(1、4)と、ミキサー(2、3)および電力増幅器(15)とを備えている。
【０００９】
このような構成を有するインビルディング中継システムの動作を説明すれば、次の通りである。
【００１０】
先ず、基地局から高周波の信号が惹起アンテナ(10)を介して受信されると、受信された信号はデュプレックサー(11)を介して送信方向の低雑音増幅器(12)に伝達される。
【００１１】
すると、低雑音増幅器(12)およびプリアンプ(13)がこれを増幅し、中間周波数モジュール(14)は、増幅された信号を中間周波数に変換する。
【００１２】
次に、中間周波数モジュール(14)の出力信号は、表面弾性波(saw)フィルター(1)で雑音が除去され、ミキサー(2)で高周波信号に変換される。
【００１３】
以後、変換された信号は、電力増幅器(15)で増幅され、デュプレックサー(16)を介してインビルディングサービス用アンテナを介して放射される。
【００１４】
一方、ユーザの移動端末機で送信される高周波信号は、サービス用アンテナを介して受信され、受信された高周波信号は、デュプレックサー(16)を介して低雑音増幅器(12)およびフリーアンプ(18)で増幅される。
【００１５】
以後、フリーアンプ(18)で増幅された高周波信号は、中間周波数モジュール(19)で中間周波数信号に変換され、表面弾性波フィルター(4)を介して雑音が除去された後、ミキサー(3)を介して高周波信号に変換される。
【００１６】
次に、変換された高周波信号は、電力増幅器(20)を介して増幅され、デュプレックサー(11)を介してアンテナ(10)から放射されて基地局へ送信される。
【００１７】
このように動作する従来のアンテナを用いたインビルディング中継システムは、建物内部の一つの層、または一つの空間のみで利用が可能である。
【００１８】
したがって、数個の層に電波を放射するために、漏洩同軸ケーブルなどを用いて建物内部のあちこちに電波を放射させる。
【００１９】
図２は、従来の数個の層に設けられたインビルディング中継システムの終端図であって、同図に示すように、従来の移動端末機に対する個人携帯通信地上サービスをする時には、外部の惹起アンテナ(31)であって高周波の電波(1.8GHZ)を受けて中継器(32)を介しデジタルユニット(DU:DigitalUnit)(33)で低周波の電波に変換させ、分配器(34)で低周波の電波を分配させた後、各サービス層でリモートアクセスユニット(RAU:RemoteAccessUnit)(35)により、再びPCS周波数である1.8GHZに変換して通信サービスを提供するようにしている。
【００２０】
この際、デジタルユニット(33)からリモートアクセスユニット(RAU)に直ぐに信号を伝送せずに、デジタルユニット(33)で低周波の電波に変換させた後に伝送する理由は、デジタルユニット(33)とリモートアクセスユニット(35)との間にRF(RadioFrequency)を用いる場合に周波数が高いので、有線で伝送すれば損失(loss)が多くなり、遠く伝送するのが困難になるためである。
【００２１】
このように、デジタルユニット(33)とリモートアクセスユニット(35)とが低周波信号を用いて伝播する中継器をIF(Intermediate Frequency)中継システムと言い、その他にデジタルユニット(33)とリモートアクセスユニット(35)との間に使用する媒体によって、RF中継システム(別途の変換なしに信号の増幅のみする場合)、光分散中継システム(光(optic)使用)、マイクロ中継システム(マイクロウェーブ使用)、変波中継システム(周波数変換中継器)などがあるが、前の３つ方式が主に使われる。
【００２２】
図３は、従来技術に係る光分散アンテナを用いた光分散中継システムの構成図である。
【００２３】
図３のように、従来のインビルディング中継システムは、デュプレックサー(56、60)と、低雑音増幅器(42、59)と、ミキサー(43、45、51、54)と、フィルター(44、46、49、52)と、光送信器(47、58)と、光受信器(48、56)と、光分散アンテナ(61)および電力増幅器(55、57)とを備えている。
【００２４】
このような構成を有する光分散アンテナを用いた中継システムの動作は、先に説明した中継システムと類似し、高周波信号を光信号に変換し光ケーブルを介して伝送し、これを光分散アンテナ(61)を用いて陰影地域に放射することが特徴である。
【００２５】
一方、インビルディング中継システムにおいて、無線効率を考慮した最も理想的なセル設計は、一つのビルディングが１FA(Frequency Assignment)オムニ(Omni)方式で解決するのが望ましい(もちろん、この際、公衆網とのハンドオーバーに対する方式を講ずるべきであるが、この部分は様々な対案が提示されているので、特に言及しない)。
【００２６】
しかし、仮りに、サービスユーザが多くなり、一つのビルディングに様々なサブセル(Sub-cell)を提供すべきであれば、基本的に二つの方式が提示され得る。一つはFAを増やす方式であり、もう一つはセクターを増やす方式である。
【００２７】
例えば、12階の建物があると仮定する時、FAを増やす方式は、12FAオムニでサービスし、セクターを増やす方式は、2階を一つの単位でセル設計をし1FA6セクターで構成できる。
【００２８】
FAを増やす場合には、最終端の中継器の数が多くなる短所があり、一般に、最終端の中継器は、全体出力電力により制限されるために、一つの周波数に対して最大10mWを提供できたとすれば、12FAを全て提供する場合、FA当たり出力は、１〜２mWに制限される。したがって、同じ空間に多くの中継器を設置しなければならないという不都合がある。
【００２９】
もう一つの問題点としては、公衆網サービスをするビルディングと隣接した場合、周辺で使用する周波数が同じであるので、頻繁なハンドオーバー、または通話切断の可能性が高まる。
【００３０】
次に、セクターを増やす場合には、BTSのセクター構造が基本的にオムニ構造に比べて複雑になり、高価に具現されるものが普通であり、層間ハンドオフによる損失が発生する可能性がある。
【００３１】
また、IF中継器の場合、6セクターの信号が合わせて各層へ上がることができないので（同一FAであるので）、それぞれ異なる線を介して各層に信号を提供しなければならないという不都合があった。
【発明の開示】
【発明が解決しようとする課題】
【００３２】
したがって、本発明は、上述のような問題点を解決するために案出されたもので、本発明の目的は、周波数を増やす方式と、セクターを増やす方式とを結合することによって効率を最大化できるようにする多重セクターインビルディング中継システムを提供することにある。
【課題を解決するための手段】
【００３３】
このような目的を達成するための本発明に係る多重セクターインビルディング中継システムの一態様によれば、基地局から搬送波周波数の多重セクター信号を受信し、受信されたそれぞれのセクター信号に互いに異なる送信中間周波数信号をミキシングし、ミキシング後の多重セクター信号を同一線路に出力するマスター送信部と、このマスター送信部から出力される多重セクター信号から割り当てられたセクター信号を抽出し、抽出されたセクター信号を高周波信号に変換した後、変換された高周波信号をアンテナを介して伝送する多数個のスレーブ送信部と、アンテナから受信された搬送波周波数のセクター信号に、割り当てられたそれぞれの互いに異なる受信中間周波数信号をミキシングしそれぞれの互いに異なる受信中間周波数帯のセクター信号に変換した後、変換されたセクター信号を同一線路に出力する多数個のスレーブ受信部と、これら多数個のスレーブ受信部から同一線路を介して伝送されるそれぞれの互いに異なる受信中間周波数帯に変換された多重セクター信号と互いに異なる中間周波数帯信号をミキシングしそれぞれのセクター信号を分離し、分離されたセクター信号を受信搬送波周波数信号に変換し基地局に出力するマスター受信部と、マスター送信部とマスター受信部の送受信信号を分離するためのマスター送受信分離部と、マスター送信部から多重セクター信号を受信し多数個のスレーブ送信部に分配し、多数個のスレーブ受信部から受信中間周波数帯に変換されたセクター信号を受信しマスター受信部に伝送する分配部と、を備えてなる多重セクター送受信装置であることを特徴とする。
【００３４】
マスター送信部は、基地局から、割り当てられた搬送波周波数のセクター信号を受信し、受信されたセクター信号に割り当てられたそれぞれの互いに異なる送信中間周波数信号をミキシングし出力する多数のミキシング部と、このミキシング部から出力される互いに異なる送信中間周波数帯信号に変換されたセクター信号から不必要な信号を除去した後、不必要な信号が除去されたセクター信号を一定レベル増幅して同一線路に出力する多数の増幅部と、を備えたものとすることができる。
【００３５】
そのミキシング部は、基地局から、割り当てられた搬送波周波数の高周波セクター信号を受信し、受信された高周波セクター信号を減衰させ、減衰された高周波セクター信号を出力する減衰器と、この減衰器で減衰された搬送波周波数のセクター信号に、搬送波周波数から、割り当てられた互いに異なる送信中間周波数帯信号を引いた信号をミキシングして互いに異なる送信中間周波数帯信号に変換されたセクター信号をそれぞれの増幅部に出力するミキサーと、を備えてなるものとすることができる。
【００３６】
さらに増幅部は、ミキシング部から出力される互いに異なる送信中間周波数帯信号に変換されたセクター信号を帯域通過フィルターリングする帯域通過フィルターと、この帯域通過フィルターを介してフィルターリングされたセクター信号を一定レベル増幅し線路に出力する増幅器と、を備えてなるものとすることができる。
【００３７】
また、スレーブ送信部は、マスター送信部から出力される互いに異なる送信中間周波数信号に変換された多重セクター信号を受信し、受信された多重セクター信号から、抽出すべきセクター信号にミキシングされた送信中間周波数信号から所定値を引いた信号をミキシングしセクター信号を抽出するセクター信号抽出部と、このセクター信号抽出部で抽出されたセクター信号を高周波信号に変換してアンテナを介して伝送する高周波信号生成部と、を備えてなるものとすることができる。
【００３８】
そのセクター信号抽出部は、マスター送信部から受信された互いに異なる送信中間周波数信号に変換された多重セクター信号を帯域フィルターリングする第1帯域通過フィルターと、この第1帯域通過フィルターから入力されるフィルターリングされた多重セクター信号から、抽出すべきセクター信号にミキシングされた送信中間周波数信号から所定値を引いた信号をミキシングし出力するミキサーと、このミキサーから出力される信号を帯域通過フィルターリングして所望のセクター信号を抽出する第2帯域通過フィルターと、を備えてなるものとすることができる。
【００３９】
さらに高周波生成部は、セクター信号抽出部で抽出されたセクター信号に基地局伝送搬送波周波数から所定値を引いた信号をミキシングし高周波信号を生成する高周波生成器と、この高周波生成器で生成された全高周波信号を電力増幅しアンテナを介して伝送する電力増幅器と、を備えてなるものとすることができる。
【００４０】
また、スレーブ受信部は、アンテナから受信した受信搬送波周波数のセクター信号に割り当てられた受信中間周波数信号をミキシングし中間周波数信号を生成する中間周波数生成部と、この中間周波数生成部で生成された中間周波数信号を一定レベル増幅し、帯域フィルターリングする増幅部と、を備えてなるものとすることができる。
【００４１】
その中間周波数生成部は、アンテナを介して受信された受信搬送波周波数のセクター信号を一定レベル増幅する増幅器と、この増幅器で増幅された受信搬送波周波数のセクター信号を帯域フィルターリングする帯域通過フィルターと、この帯域通過フィルターでフィルターリングされた受信搬送波周波数のセクター信号に、受信搬送波周波数から割り当てられた中間周波数信号を引いた信号をミキシングし中間周波数帯セクター信号を生成するミキサーと、を備えてなるものとすることができる。
【００４２】
さらに増幅部は、中間周波数生成部で生成された中間周波数信号を一定レベル増幅して出力する増幅器と、この増幅器で増幅された中間周波数信号を帯域フィルターリングしマスター受信部に伝送する帯域通過フィルターと、を備えてなるものとすることができる。
【００４３】
また、マスター受信部は、多数個のスレーブ受信部から、それぞれの互いに異なる受信中間周波数帯に変換された多重セクター信号を受信し、抽出すべきセクター信号にミキシングされた受信中間周波数信号から所定値を引いた信号をミキシングして抽出すべきセクター信号を分離する多数のセクター信号分離部と、このセクター信号分離部から出力される分離されたセクター信号に、受信搬送波周波数から所定値を引いた信号をミキシングし受信中間周波数帯信号を受信搬送波周波数帯信号に変換し基地局に出力する多数の高周波生成部と、を備えてなるものとすることができる。
【００４４】
そのセクター信号分離部は、多数個のスレーブ受信部から受信されるそれぞれの互いに異なる受信中間周波数帯に変換された多重セクター信号に、抽出すべきセクター信号にミキシングされた受信中間周波数信号から所定値を引いた信号をミキシングし出力するミキサーと、このミキサーでミキシングされた信号を入力して所定値を中心に帯域通過フィルターリングを行い抽出すべきセクター信号を分離する帯域通過フィルターと、を備えてなるものとすることができる。
【００４５】
さらに高周波生成部は、セクター信号分離部で分離されたセクター信号に、受信搬送波周波数から所定値を引いた周波数信号をミキシングし受信中間周波数帯信号を受信搬送波周波数帯信号に変換し出力するミキサーと、このミキサーから出力された受信搬送波周波数帯信号を一定レベル増幅する増幅器と、を備えてなるものとすることができる。
【００４６】
本発明の他の態様によれば、インビルディングシステムの多重セクター送信装置において、基地局から搬送波周波数の多重セクター信号を受信し、受信されたそれぞれのセクター信号に互いに異なる送信中間周波数信号をミキシングし、ミキシングされたそれぞれのセクター信号を同一線路に出力するマスター送信部と、アンテナから受信された搬送波周波数のセクター信号に、割り当てられたそれぞれの互いに異なる受信中間周波数信号をミキシングし、ミキシングされたセクター信号を同一線路にそれぞれ出力する多数個のスレーブ受信部と、を備えることを特徴とする。そのマスター送信部は、基地局から伝送搬送波周波数のセクター信号を受信し、受信したセクター信号に割り当てられたそれぞれの互いに異なる送信中間周波数信号をミキシングし出力する多数のミキシング部と、この多数のミキシング部から互いに異なる送信中間周波数帯に変換されたセクター信号を受信し不必要な信号を除去した後、不必要な信号が除去されたセクター信号を増幅し同一線路に出力する多数の増幅部と、を備えてなるものとすることができる。そのミキシング部は、基地局から割り当てられた伝送搬送波周波数のセクター信号を受信し、受信した高周波セクター信号を減衰させ、減衰された高周波セクター信号を出力する減衰器と、この減衰器で減衰された伝送搬送波周波数のセクター信号に、伝送搬送波周波数から割り当てられた互いに異なる送信中間周波数帯信号を引いた信号をミキシングし互いに異なる送信中間周波数帯信号に変換されたセクター信号をそれぞれの増幅部に出力するミキサーと、を備えてなるものとすることができる。
【００４７】
本発明のさらに他の態様によれば、インビルディングシステムの多重セクター受信装置において、互いに異なる送信中間周波数信号に変換された多重セクター信号を受信し、受信された信号からそれぞれのセクター信号のみ抽出し、抽出されたセクター信号を高周波信号に変換しアンテナに出力する多数個のスレーブ送信部と、線路を介して受信された互いに異なる受信中間周波数帯信号に変換された多重セクター信号に互いに異なる中間周波数帯信号をミキシングし、ミキシングされた信号からセクター信号を分離した後、分離されたセクター信号を受信搬送波周波数信号に変換し基地局に出力するマスター受信部と、互いに異なる送信中間周波数信号に変換された多重セクター信号を多数個のスレーブ送信部に分配し、受信中間周波数帯信号に変換されたセクター信号をマスター受信部に伝送する分配部と、を備えることを特徴とする。その多数のスレーブ送信部は、互いに異なる送信中間周波数信号に変換された多重セクター信号を受信し、受信された信号に、抽出すべきセクター信号にミキシングされた送信中間周波数信号から所定値を引いた信号をミキシングしセクター信号を抽出するセクター信号抽出部と、このセクター信号抽出部で抽出されたセクター信号を高周波信号に変換しアンテナに出力する高周波信号生成部と、を備えてなるものとすることができる。そのセクター信号抽出部は、互いに異なる送信中間周波数信号に変換された多重セクター信号を受信し不必要な信号を除去する第1帯域通過フィルターと、この第1帯域通過フィルターでフィルターリングされた多重セクター信号に、抽出すべきセクター信号にミキシングされた送信中間周波数信号から所定値を引いた信号をミキシングして出力するミキサーと、このミキサーの出力信号に対し所定値を中心に帯域通過フィルターリングを行って抽出すべきセクター信号を抽出する第2帯域通過フィルターと、を備えてなるものとすることができる。
【００４８】
本発明のさらなる他の態様によれば、多重セクターインビルディング中継システムを用いて建物内で基地局から複数のセクターに信号を提供する方法として、基地局から受信された複数のセクターの搬送波信号を減衰・増幅する段階と、この減衰・増幅されたセクター信号のそれぞれを対応する相異した伝送中間周波数信号と混合し、その混合されたセクター信号のそれぞれを第1デュプレックサーを介して同じ伝送ラインに多重出力する段階と、該同じ伝送ラインの多重出力されたセクター信号を複数のセクターのそれぞれに配置された複数のスレーブ送信部に分配する段階と、複数のセクターのそれぞれのセクター信号を、スレーブ送信部のそれぞれに割り当てられた相異した中間周波数信号等を用いて抽出する段階と、抽出されたセクター信号を高周波信号等に切り替え、その切り替えられた高周波信号等を第2デュプレックサーを介して複数のセクターのそれぞれに配置されたそれぞれのアンテナを介して伝送する段階と、を含む方法を提案する。この方法では、複数のスレーブ受信部のそれぞれで、アンテナと第2デュプレックサーを介して提供される受信された搬送波セクター信号を割り当てられた中間周波数信号と混合することによって中間周波数信号を生成する段階と、スレーブ受信部のそれぞれの中間周波数信号を同じ伝送ラインを介して第1デュプレックサーに出力する段階と、第1デュプレックサーにより受信されたスレーブ受信部のそれぞれの中間周波数信号を、基地局に伝送するための相異した搬送波信号に切り替える段階と、をさらに含むことができる。
【発明の効果】
【００４９】
本発明によれば、ビルディング内部に専用周波数を使用し、層間をセクターに区分することによって自然にソフトハンドオフが可能な効果がある。
【００５０】
さらに、本発明によれば、マスターモジュールとスレーブモジュールとの間の伝送線路として一つの伝送線路を使用することによって、工事費などを節減し、且つ容易に設置できる効果がある。
【発明を実施するための最良の形態】
【００５１】
以下、本発明に係る多重セクターインビルディング中継システムの実施形態について、添付の図面を参照して詳細に説明する。
【００５２】
一般に、CDMA方式の個人携帯通信システムにおいて基地局装備形状による容量増大方式は、基地局を多重セクター化する方式と、周波数の個数(FA:Frequency Assignment)を増設する方式との二つがある。
【００５３】
CDMA方式の個人携帯通信システムにおける通話容量は、雑音により制限されるので、基地局アンテナをセクター化し異なるセクター内の加入者からの雑音を減少させれば基地局通話容量を増大させることができる。
【００５４】
しかし、アンテナの放射パターンが120度の理想的なパターンでなく、中間部分で重なり互いに雑音として作用するために、セクター化による利得は、3セクターの場合、オムニ基地局に比べて約2.4倍、6セクターの場合、約5倍程度を示す。
【００５５】
一般に、都心では大部分3セクター基地局を使用し、地方道路では2セクター、その他の通行量が小さな地域では、オムニ基地局を使用する。また、希なことであるが、マルチFAハードハンドオフ問題を最小化するために、6セクター基地局が使われることもある。
【００５６】
BTS容量を増大させるためには、セクター化だけでなく、搬送波周波数の数を増やす作業が必要である。
【００５７】
CDMAに使われる搬送波周波数をFA(Frequency Assignment)とし、多重搬送周波数をマルチFAとする。
【００５８】
このような方式は、周波数間独立的に雑音特性を表すので、マルチFAによる容量利得は、FA数に線形的に比例する。
【００５９】
FA数を増やす場合、周辺基地局のFA数と異なるので、周辺セルに移動時の周波数ハンドオフに対する解決方式を必ず同時に進行しなければならない。
【００６０】
一方、前述したCDMA方式の個人携帯通信システムに適用される基地局容量増加方式は、インビルディング中継システムにも適用可能である。
【００６１】
特に、サービスユーザが多くなり、一つのビルディングに様々なサブセル(Sub-cell)を提供すべきであれば、一般のCDMA基地局で基地局容量を増やすためにFAを増やす方式と、セクターを増やす方式とを考慮できる。
【００６２】
また、多重FA／多重セクター、すなわちFAを多数個使用し、それぞれのFA毎に多数個のセクターを使用する方式を重点に考慮してみることができる。
【００６３】
ここで、FAのみ増やす方式では、前述したように最終端の中継器は、全体出力電力により制限されるために、一つの周波数に対して最大提供できる出力もまた制限され、それによって同じ空間に多くの中継器を設置しなければならないという不都合が発生し得る。
【００６４】
また、多重セクターにする場合には、BTSのセクター構造が基本的にオムニ構造に比べて複雑になり、高価に具現されるものが普通であり、層間ハンドオフによる損害が発生し得る。
【００６５】
したがって、本発明では、多重FA／多重セクター方式によるインビルディング中継システムを設計しており、先ず１FA／多重セクターについて説明する。
【００６６】
図４は、本発明に係るインビルディング中継システムの１FA／３セクターとした実施例の構造を示す図面である。
【００６７】
図４に示すように、本例の1FA/3セクターのインビルディング中継システムは、1FA/3セクターの周波数信号を受信し中間周波数に切り替えた後、3セクターの信号に対して互いに異なる周波数変調を行って3セクターの信号が互いに中心周波数において差があるように出力するマスターモジュール(110)と、マスターモジュール(110)から出力される信号を各スレーブモジュール(130、132、134)に分配して出力する分配器(120)と、分配器(120)からマスターモジュール(110)の信号を分配されてそれぞれ自己に割り当てられたセクター信号を抽出するスレーブモジュール(130、132、134)とを備えてなる。
【００６８】
一般に、マスターモジュール(110)は、建物外に設置、または建物内の地下に設置することができ、分配器(120)もまた建物外に設置、または建物内の地下に設置可能である。
【００６９】
また、分配器(120)とスレーブモジュール(130、132、134)との連結を提供する線路が単一線路になっていて、セクター数によって多重線路を設置しなければならない従来技術と区別される。
【００７０】
スレーブモジュール(130、132、134)は、各層（階）毎に設置でき、建物内にあるので、最も受信感度が良く、移動端末機に対して最も良い呼設定環境を提供できるように設置する必要がある。
【００７１】
この際、一つのセクター信号が２つの層を担当できるように具現でき、この場合に分配器(120)を使用し分配させさえすればよい。
【００７２】
図５は、本例の1FA/3セクターのインビルディング中継システムの細部構成図である。
【００７３】
図５に示すように、マスターモジュール(110)は、マスター送信部(210)と、マスター受信部(220)およびマスターデュプレックサー(230)とを含み、スレーブモジュール(130)は、スレーブ送信部(310)と、スレーブ受信部(320)およびスレーブデュプレックサー(330)とを含む。
【００７４】
ここでは、一つのスレーブモジュール(130)に対して細部ブロックを示したが、異なるスレーブモジュールもまた同様に具現されている。
【００７５】
また、マスター送信部(210)は、1FA/3セクターのそれぞれのセクター信号を受信し、受信された信号を減衰させるための減衰器(211a、211b、211c)と、第1増幅器(212a、212b、212c)と、ミキサー(213a、213b、213c)と、帯域通過フィルター(214a、214b、214c)と、第2増幅器(215a、215b、215c)とを備える。
【００７６】
マスター受信部(220)は、受信信号で可容されている周波数帯域外の周波数信号をフィルターリングするための第1帯域通過フィルター(221a、221b、221c)と、第1ミキサー(222a、222b、222c)と、第2帯域通過フィルター(224a、224b、224c)と、第1増幅器(224a、224b、224c)と、第2ミキサー(225a、225b、225c)と、第2増幅器(226a、226b、226c)とを備える。
【００７７】
また、スレーブ送信部(310)は、第1帯域通過フィルター(311)と、第1ミキサー(312)と、第2帯域通過フィルター(313)と、第1増幅器(314)と、第2ミキサー(315)と、第３帯域通過フィルター(316)と、電力増幅器(317)とを備える。
【００７８】
スレーブ受信部(320)は、第1増幅器(321)と、第1帯域通過フィルター(322)と、ミキサー(323)と、第2増幅器(324)と、第2帯域通過フィルター(325)とを備える。
【００７９】
このように構成されたマスター送信部(210)と、マスター受信部(220)、またスレーブ送信部(310)、スレーブ受信部(320)の動作を詳細に説明すれば、次の通りである。
【００８０】
先ず、マスター送信部(210)それぞれの減衰器(211a、211b、211c)は、BTSから伝送された1FA/3セクター周波数信号を受信し、受信された信号を減衰した後、第1増幅器(212a、212b、212c)に提供する。
【００８１】
第1増幅器(212a、212b、212c)は、減衰器(211a、211b、211c)から提供される減衰された1FA/3セクター周波数信号を一定レベル増幅し、増幅後の信号は、ミキサー(213a、213b、213c)を介して第1中間周波数帯信号に変換されて出力される。
【００８２】
この際、αセクター信号を処理するミキサー(213a)は、αセクター信号に第1中間周波数の信号をミキシングするものではなく、第1中間周波数(IF)の信号から所定の第1周波数信号(a)を引いた信号(IF-a)をミキシングさせて出力する。
【００８３】
したがって、ミキサー(213a)の出力信号は、第1中間周波数帯域信号から左側へ所定の周波数だけシフトされた中心周波数を有するようになる。
【００８４】
また、次端に位置する帯域通過フィルター(214a)は、ミキサー(213a)から出力された周波数成分のうち、不必要な信号を除去し所望する周波数を通過させる。
【００８５】
また、βセクター信号を処理するミキサー(213b)は、βセクター信号に第1中間周波数(IF)の信号をミキシングし出力する。
【００８６】
したがって、ミキサー(213b)の出力信号は、第1中間周波数に中心周波数が存在する信号を出力するようになり、次端に位置する帯域通過フィルター(214b)は、ミキサー(213b)から出力された周波数成分のうち、不必要な信号を除去し所望する周波数を通過させる。
【００８７】
また、γセクター信号を処理するミキサー(213c)は、γセクター信号に第1中間周波数の信号をミキシングするものではなく、第1中間周波数(IF)の信号に所定の第1周波数信号(a)を足した信号(IF+a)をミキシングさせて出力する。
【００８８】
したがって、ミキサー(213c)の出力信号は、第1中間周波数帯域信号から右側へ所定の周波数信号だけシフトされて出力される。
【００８９】
また、次端に位置する帯域通過フィルター(214c)は、ミキサー(213c)から出力された周波数成分のうち、不必要な信号を除去して所望する周波数を通過させる。
【００９０】
このように、α、β、γセクター信号に対するそれぞれのミキサー(213a、213b、213c)を経て出力され、それぞれの帯域通過フィルター(214a、214b、214c)を通過した第1中間周波数帯域にシフトされたα、β、γセクター信号は、互いに周波数帯域が重畳していない。
【００９１】
したがって、一つの伝送線路にあることができ、α、β、γセクター信号のそれぞれの信号は、第2増幅器(215a、215b、215c)のそれぞれで増幅され同一線路に出力される。
【００９２】
マスターモジュール(110)のマスター送信部(210)で生成され、出力された信号は、デュプレックサー(230)と分配器(120)とを経てスレーブ送信部(310)に伝送される。
【００９３】
一例として、αセクター信号を用いるスレーブ送信部(310)は、先ず第1帯域通過フィルター(311)を用いて、α、β、γセクター信号を除くその他の信号をフィルターリングした後、フィルターリングされたα、β、γセクター信号を含む周波数信号を第1ミキサー(312)に出力する。
【００９４】
すると、第1ミキサー(312)は、αセクター信号の他のβ、γセクター信号を除去するために、第1中間周波数から所定の第1周波数(a)を引いて、その値から所定の第2周波数(140)を引いた周波数をミキシングし出力する。この際、所定の第2周波数は、ミキサー(312)を通過したαセクター信号の中心周波数となる。
【００９５】
また、第1帯域通過フィルター(313)は、αセクター信号のみ残し、β、γセクター信号を除去し、第2増幅器(314)は、β、γセクター信号が除去されたαセクター信号を増幅し第2ミキサー(315)に出力する。
【００９６】
第2ミキサー(315)は、元高周波信号に信号を復元するための移動通信に用いられるFAから第2所定値(140)を引いた値をミキシングし、第1中間周波数帯の信号を高周波信号に復元する。
【００９７】
また、第2帯域通過フィルター(316)を用いて雑音を除去した後、電力増幅器(317)で増幅しデュプレックサー(330)を介してアンテナに出力する。
【００９８】
一方、移動端末機から出力される信号は、アンテナで受信しデュプレックサー(330)に出力される。
【００９９】
デュプレックサー(330)は、アンテナを介して受信された信号をスレーブ受信部(320)の第1増幅器(321)に伝送するようになり、スレーブ受信部(320)の第1増幅器(321)は、デュプレックサー(330)から伝送される信号を一定レベル増幅した後、第1帯域通過フィルター(322)に提供する。
【０１００】
また、第1帯域通過フィルター(322)は、第1増幅器(321)から一定レベル増幅され、出力される受信信号を帯域フィルターリングした後、ミキサー(323)に出力する。
【０１０１】
すると、ミキサー(323)は、第2中間周波数(IFo)から左側へ所定の第1周波数(a)をシフトさせた周波数信号(IFo-a)をミキシングし、第2増幅器(324)を介し第2帯域通過フィルター(325)に出力する。
【０１０２】
第2帯域通過フィルター(325)は、出力された周波数成分のうち、不必要な信号を除去し所望する周波数を通過させる
【０１０３】
このように伝送線路に伝送された信号は、マスター受信部(220)で受信するようになり、マスター受信部(220)のα、β、γセクター信号に対するそれぞれのセクター信号処理部は、自己のセクター信号のみ残し、残りのセクター信号は、フィルターリングする。
【０１０４】
先ず、αセクター信号処理過程を察し見ると、第1帯域通過フィルター(221a)は、第2中間周波数帯域にシフトされたα、β、γセクター信号のみ残し、残りの雑音信号をフィルターリングして出力する。
【０１０５】
すると、αセクター信号を抽出するための第1ミキサー(222a)は、第2中間周波数(IFo)から第1所定値(a)と第３所定値(70)を引いた信号(IFo-a-70)をミキシングし、第2帯域通過フィルター(223a)に出力する。
【０１０６】
第2帯域通過フィルター(223a)は、第３所定値に移動したαセクター信号のみ残し、残りはフィルターリングするようになる。
【０１０７】
また、後端に位置した第1増幅器(224a)は、第2帯域通過フィルター(223a)でフィルターリングされた信号を一定レベル増幅し第2ミキサー(225a)に出力する。
【０１０８】
第2ミキサー(225a)は、第1増幅器(224a)から出力される信号と、移動通信サービスに使用する周波数(FA)から第３所定値を引いた信号をミキシングした後、第2増幅器(226b)に出力する。すなわち、第2ミキサー(225a)は、第1増幅器(224a)で増幅されて出力される低周波信号を高周波信号に変換し第2増幅器(226b)に出力するものである。
【０１０９】
第2増幅器(226a)は、第2ミキサー(225a)から出力される高周波信号を一定レベル増幅しアンテナを介してBTS、または中継器等に伝送する。
【０１１０】
次に、βセクター信号処理過程を察し見ると、第1帯域通過フィルター(221b)は、第2中間周波数帯域にシフトされたα、β、γセクター信号のみ残し、残りの雑音信号をフィルターリングし出力する。
【０１１１】
すると、βセクター信号を抽出するための第1ミキサー(222b)は、第2中間周波数信号(IFo)から第３所定値(70)を引いた信号(IFo-70)をミキシングし第2帯域通過フィルター(223b)に出力する。
【０１１２】
第2帯域通過フィルター(223b)は、第３所定値に移動したβセクター信号のみ残し、残りはフィルターリングするようになる。
【０１１３】
また、後端に位置した第1増幅器(224b)は、フィルターリングされた信号を増幅し第2ミキサー(225b)に出力する。
【０１１４】
第2ミキサー(225b)は、第1増幅器(224b)で一定レベル増幅された信号と、移動通信サービスで使用する周波数(FA)から第３所定値を引いた信号をミキシングすることにより、低周波信号を高周波信号に変換し第2増幅器(226b)に出力する。
【０１１５】
第2増幅器(226b)は、第2ミキサー(225b)から出力される高周波信号を一定レベル増幅しアンテナを介してBTS、または中継器等に出力する。
【０１１６】
最後に、γセクター信号処理過程を察し見ると、第1帯域通過フィルター(221c)は、第2中間周波数帯域にシフトされたα、β、γセクター信号のみ残し、残りの雑音信号をフィルターリングして出力する。
【０１１７】
すると、γセクター信号を抽出するための第1ミキサー(222c)は、第2中間周波数(IFo)に第1所定値(a)を足し、第３所定値(70)を引いた信号をミキシングし第2帯域通過フィルター(223c)に出力する。
【０１１８】
第2帯域通過フィルター(223c)は、第３所定値に移動したγセクター信号のみ残し、残りはフィルターリングするようになる。
【０１１９】
また、後端に位置した第1増幅器(224c)は、第2帯域通過フィルター(223c)でフィルターリングされた信号を一定レベル増幅し第2ミキサー(225c)に出力する。
【０１２０】
第2ミキサー(225c)は、第1増幅器(224c)で一定レベル増幅された信号と、移動通信サービスで使用する周波数(FA)から第３所定値を引いた信号をミキシングすることにより、低周波信号を高周波信号に変換し第2増幅器(226c)に出力する。
【０１２１】
したがって、第2増幅器(226c)は、第2ミキサー(225c)で出力される高周波信号を一定レベル増幅しアンテナを介してBTS、または中継器等に出力する。
【０１２２】
図６は、本発明に係るインビルディング中継システムの2FA/3セクターの実施例を示した細部構成図である。
【０１２３】
図６に示すように、本例の2FA/3セクターのインビルディング中継システムは、中継器、またはBTSから各FA信号を受信し、各セクター別に中間周波数に一定周波数を加減しミキシングした信号を出力するマスターモジュール(410、420)と、分配器(440)と、一つの1FAの1セクター毎に2つの層を担当できるスレーブモジュール(450〜455)とを備えてなる。
【０１２４】
このような2FA/3セクターのインビルディング中継システムにおいては、2FA信号から中間周波数帯域の信号に変換した後、それぞれの信号をシフトする時、重ならないようにしなければならない。
【０１２５】
すなわち、1FA信号に使用する中間周波数と、2FA信号に使用する中間周波数とが間隔が互いに重ならない程度に広くしなければならない。
【０１２６】
一方、前記で察しみたように、ビルディング内部に専用周波数を一つ、または2つを用いて、多重セクター別に層間を区分することによって、従来のCDMA方式の個人携帯通信で使用したソフトハンドオフ技術が使用可能である。
【０１２７】
本発明は、単にビルディング内のみで動作するものでなく、キャンパスや電波陰影地域、あるいはその他の場所でも適用可能な点は、当業界の技術からみた時、自明である。
【０１２８】
以上、本発明を好適な実施例を用いて詳細に説明したが、本発明の範囲は特定実施例に限定されるものでなく、添付の特許請求範囲によって解析されるべきである。
【図面の簡単な説明】
【０１２９】
【図１】一つの層に設けられたインビルディング中継システムの構成を示す図面。
【図２】従来の数個の層に設けられたインビルディング中継システムの終端を示す図面。
【図３】従来技術に係る光分散アンテナを用いた光分散インビルディング中継システムの構成を示す図面。
【図４】本発明に係るインビルディング中継システムの1FA/3セクターとした実施例の構造を示す図面。
【図５】本発明に係るインビルディング中継システムの1FA/3セクターとした実施例の細部構成を示す図面。
【図６】本発明に係るインビルディング中継システムの2FA/3セクターとした実施例の構造を示す図面。
【符号の説明】
【０１３０】
110、410、420  スターモジュール
120、440  分配器
130、132、134、450〜455  スレーブモジュール
210  マスター送信部
211  減衰器
212、215、223、225、314、321、324  増幅器
214、221、223、311、313、316、322、325  帯域通過フィルター
317  電力増幅器
213、222、225、312、315、323  ミキサー
220  マスター受信部
310  スレーブ送信部
320  スレーブ受信部
【図１】
2004236341.tif 000003
【図２】
2004236341.tif 000004
【図３】
2004236341.tif 000005
【図４】
2004236341.tif 000006
【図５】
2004236341.tif 000007
【図６】
2004236341.tif 000008